(57)【要約】【課題】再生中のコンテンツに対して実行可能な操作をユーザに提示することが可能な情報処理装置、プログラム及び情報処理方法を提供すること。【解決手段】本技術に係る情報処理装置は、操作情報保持部と、属性取得部と、操作情報提示部とを具備する。操作情報保持部は、コンテンツの属性毎の操作情報を保持する。属性取得部は、再生されているコンテンツである再生コンテンツの属性を取得する。操作情報提示部は、前記属性に基づいて前記再生コンテンツに対応する操作情報を提示する。【選択図】図２
2013236319.tif 000002
【特許請求の範囲】
【請求項１】
コンテンツの属性毎の操作情報を保持する操作情報保持部と、
再生されているコンテンツである再生コンテンツの属性を取得する属性取得部と、
前記属性に基づいて前記再生コンテンツに対応する操作情報を提示する操作情報提示部と
を具備する情報処理装置。
【請求項２】
請求項１に記載の情報処理装置であって、
前記属性取得部は、前記再生コンテンツから検出された特徴量に基づいて前記属性を取得する
情報処理装置。
【請求項３】
請求項１に記載の情報処理装置であって、
前記属性取得部は、前記再生コンテンツに付与されたメタ情報に基づいて前記属性を取得する
情報処理装置。
【請求項４】
請求項１に記載の情報処理装置であって、
前記属性取得部は、前記再生コンテンツを前記情報処理装置へ供給する外部機器の接続情報に基づいて前記属性を取得する
情報処理装置。
【請求項５】
請求項１に記載の情報処理装置であって、
コンテンツの属性毎の操作履歴を蓄積する操作履歴蓄積部をさらに具備し、
前記操作情報提示部は、前記属性に加え、前記再生コンテンツに対応する前記操作履歴に基づいて前記操作情報を提示する
情報処理装置。
【請求項６】
請求項１に記載の情報処理装置であって、
前記操作情報提示部は、前記操作履歴に基づいて前記操作情報の優先順位を決定する
情報処理装置。
【請求項７】
請求項１に記載の情報処理装置であって、
前記操作情報は、前記再生コンテンツに対して前記情報処理装置が実行可能な動作の操作ガイドである
情報処理装置。
【請求項８】
請求項１に記載の情報処理装置であって、
前記操作情報は、前記再生コンテンツに対する前記情報処理装置の動作の提示である
情報処理装置。
【請求項９】
請求項３に記載の情報処理装置であって、
前記再生コンテンツは動画コンテンツであり、前記メタ情報は、前記再生コンテンツを構成するシーンに付与されたメタ情報である
情報処理装置。
【請求項１０】
請求項１に記載の情報処理装置であって、
前記情報処理装置は、コンテンツの記録及び再生が可能な情報処理装置である
情報処理装置。
【請求項１１】
コンテンツの属性毎の操作情報を保持する操作情報保持部と、
再生されているコンテンツである再生コンテンツの属性を取得する属性取得部と、
前記属性に基づいて前記再生コンテンツに対応する操作情報を提示する操作情報提示部と
を具備する情報処理システム。
【請求項１２】
操作情報保持部が、コンテンツの属性毎の操作情報を保持し、
属性取得部が、再生されているコンテンツである再生コンテンツの属性を取得し、
操作情報提示部が、前記属性に基づいて前記再生コンテンツに対応する操作情報を提示する
情報処理方法。
【発明の詳細な説明】
【技術分野】
【０００１】
本技術は、コンテンツ再生と共に操作ガイドをユーザに提供する情報処理装置、情報処理システム及び情報処理方法に関する。
【背景技術】
【０００２】
テレビ番組やその他ビデオコンテンツ等の録画再生を行うＨＤＤ（Hard disk drive）レコーダ、ＢＤ（Blu-ray Disc(登録商標））レコーダ等が広く普及している。そのような機器には、様々な録画再生機能が搭載されており、操作方法が分かり難い場合が考えられる。そのような場合、操作方法が分からないユーザーに対して操作情報（操作ガイド）を所定の画面に提示する電子操作ガイド（操作マニュアル）が知られている。
【０００３】
例えば、特許文献１には、ユーザの操作履歴から目的とする機能を推定し、操作支援方法を決定する操作支援装置が開示されている。当該装置は、ユーザが特定のコンテンツを選択した状態で所定の操作を行った際に、操作履歴を利用してコンテンツの種類を推定し、操作支援、例えば操作ガイドを表示することが可能とされている。
【先行技術文献】
【特許文献】
【０００４】
【特許文献１】ＷＯ２０１０／０２３８８６号公報
【発明の概要】
【発明が解決しようとする課題】
【０００５】
しかしながら、特許文献１に記載の装置は、ユーザの操作に基づいて上記推定を実行するため、ユーザが当該コンテンツに対して実行可能な操作を理解している場合には適用することが可能であるが、そうでない場合には適用することができない。近年のコンテンツ利用形態の多様化により、コンテンツに対して実行可能な操作は多種にわたることが多く、かつコンテンツの種類によって実行可能な操作は異なることも多いため、ユーザが実行可能な操作を全て理解していることは期待できない場合がある。
【０００６】
以上のような事情に鑑み、本技術の目的は、再生中のコンテンツに対して実行可能な操作をユーザに提示することが可能な情報処理装置、情報処理システム及び情報処理方法を提供することにある。
【課題を解決するための手段】
【０００７】
本技術の一形態に係る情報処理装置は、操作情報保持部と、属性取得部と、操作情報提示部とを具備する。
上記操作情報保持部は、コンテンツの属性毎の操作情報を保持する。
上記属性取得部は、再生されているコンテンツである再生コンテンツの属性を取得する。
上記操作情報提示部は、上記属性に基づいて上記再生コンテンツに対応する操作情報を提示する。
【０００８】
この構成によれば、再生コンテンツの属性（例えば再生コンテンツのジャンル）に対応する操作情報（例えば操作ガイド）がユーザに提示される。したがって、ユーザが、再生コンテンツに対して情報処理装置が実行可能な動作を理解していなかった場合であっても操作情報を利用して情報処理装置に動作を実行させることが可能となる。
【０００９】
上記属性取得部は、上記再生コンテンツから検出された特徴量に基づいて上記属性を取得してもよい。
【００１０】
この構成によれば、属性取得部は、再生コンテンツの特徴量、例えば音声パワースペクトルや特徴点動きベクトル等を利用して、再生コンテンツの属性を取得することが可能である。これにより、例えば再生コンテンツがストリーミング配信された動画コンテンツである場合等、ユーザが再生コンテンツのジャンルが分からない場合であっても、ユーザは再生コンテンツの属性に応じた操作情報を利用することが可能となる。
【００１１】
上記属性取得部は、上記再生コンテンツに付与されたメタ情報に基づいて上記属性を取得してもよい。
【００１２】
この構成によれば、属性取得部は、再生コンテンツのメタ情報、例えばＥＰＧ（電子番組ガイド）を利用して、再生コンテンツの属性を取得することが可能である。
【００１３】
上記属性取得部は、上記再生コンテンツを上記情報処理装置へ供給する外部機器の接続情報に基づいて上記属性を取得してもよい。
【００１４】
この構成によれば、属性取得部は、情報処理装置への外部機器の接続情報、例えばＨＤＭＩ（High-Definition Multimedia Interface）信号を利用して、再生コンテンツの属性を取得することが可能である。属性取得部は、例えば、情報処理装置へのパーソナルビデオカメラの接続を検出することにより、再生コンテンツはパーソナルビデオカメラによって撮影された映像であると判別することが可能である。
【００１５】
コンテンツの属性毎の操作履歴を蓄積する操作履歴蓄積部をさらに具備し、上記操作情報提示部は、上記属性に加え、上記再生コンテンツに対応する上記操作履歴に基づいて上記操作情報を提示してもよい。
【００１６】
この構成によれば、操作履歴蓄積部によって各属性のコンテンツに対するユーザの操作履歴が蓄積されているため、操作情報提示部は再生コンテンツの属性に加え、その属性のコンテンツに対する操作履歴を利用して操作情報を提示することが可能となる。これにより、例えば、あるジャンルのコンテンツに対してユーザが録画の操作を高頻度に実行している場合には、操作情報提示部は、当該ジャンルの再生コンテンツに対して録画の操作ガイドを表示するといったことが可能となる。
【００１７】
上記操作情報提示部は、上記操作履歴に基づいて上記優先順位を決定してもよい。
【００１８】
この構成によれば、操作情報提示部が、再生コンテンツに対応する操作情報が複数存在する場合に、操作履歴に基づいた優先順位で操作情報を提示することが可能となる。これにより、操作情報提示部は、ユーザの使用頻度が高い操作の操作情報を優先して提示することが可能である。
【００１９】
上記操作情報は、上記再生コンテンツに対して上記情報処理装置が実行可能な動作の操作ガイドである
【００２０】
この構成によれば、ユーザが、再生コンテンツに対して情報処理装置が実行可能な動作とその操作方法を容易に理解することが可能となる。
【００２１】
上記操作情報は、上記再生コンテンツに対する上記情報処理装置の動作の提示であってもよい。
【００２２】
この構成によれば、ユーザが、再生コンテンツに対して情報処理装置が実行可能な動作の中から所望のものを選択し、情報処理装置に実行させることが可能となる。
【００２３】
上記再生コンテンツは動画コンテンツであり、上記メタ情報は、上記再生コンテンツを構成するシーンに付与されたメタ情報であってもよい。
【００２４】
この構成によれば、属性取得部は、シーン毎の属性を取得することが可能である。これにより、例えば音楽番組コンテンツの歌唱シーンのみを録画する、あるいはＣＭ区間をスキップするといったことが可能となる。
【００２５】
上記情報処理装置は、コンテンツの記録及び再生が可能な情報処理装置であってもよい。
【００２６】
本技術の一実施形態に係る情報処理システムは、操作情報保持部と、属性取得部と、操作情報提示部とを具備する。
上記操作情報提示部は、コンテンツの属性毎の操作情報を保持する。
上記属性取得部は、再生されているコンテンツである再生コンテンツの属性を取得する。
上記操作情報提示部は、上記属性に基づいて上記再生コンテンツに対応する操作情報を提示する。
【００２７】
本技術の一実施形態に係る情報処理方法は、操作情報保持部が、コンテンツの属性毎の操作情報を保持する。
属性取得部が、再生されているコンテンツである再生コンテンツの属性を取得する。
操作情報提示部が、上記属性に基づいて上記再生コンテンツに対応する操作情報を提示する。
【発明の効果】
【００２８】
以上のように、本技術によれば、再生中のコンテンツに対して実行可能な操作をユーザに提示することが可能な情報処理装置、情報処理システム及び情報処理方法を提供することが可能となる。
【図面の簡単な説明】
【００２９】
【図１】本技術の実施形態に係る情報処理装置の構成を示す模式図である。
【図２】同情報処理装置の機能的構成を示す模式図である。
【図３】同情報処理装置によって提示される操作情報の例である。
【図４】同情報処理装置の動作を示すフローチャートである。
【図５】再生コンテンツに対するユーザの希望操作の例を示す模式図である。
【図６】再生コンテンツに対するユーザの希望操作の例を示す模式図である。
【図７】再生モードにおけるコンテンツの属性と提示される操作情報の例を示す表である。
【図８】再生モードにおけるコンテンツの属性と提示される操作情報の例を示す表である。
【図９】同情報処理装置の属性の取得の詳細を示すフローチャートである。
【図１０】同情報処理装置の特徴量抽出処理に係る模式図である。
【図１１】録画モードにおけるコンテンツの属性と提示される操作情報の例を示す表である。
【図１２】録画モードにおけるコンテンツの属性と提示される操作情報の例を示す表である。
【図１３】本技術の実施形態に係る情報処理システムの構成を示す模式図である。
【発明を実施するための形態】
【００３０】
［情報処理装置の構成］
本技術の実施形態に係る情報処理装置について説明する。図１は、情報処理装置１００の構成を示すブロック図である。情報処理装置１００は、動画コンテンツの録画、再生が可能な録画再生機器（例えば、ＨＤＤ（Hard Disk Drive）レコーダー、ＢＤ（Blu-ray
Disk（登録商標））レコーダー等）であるものとすることができるが、これに限られない。
【００３１】
同図に示すように、情報処理装置１００は、ネットワークＩＦ（interface）１１、チューナー部１２、記録処理部１３、情報処理部１４、入力ＩＦ１５、メモリ１６、ディスクドライブ１７、記録媒体１８、再生処理部１９、表示処理部２０、画像音声特徴抽出部２１、システムコントローラ２２、データバス２３及びコントロールバス２４を有する。
【００３２】
ネットワークＩＦ１１、チューナー部１２、記録処理部１３、情報処理部１４、入力ＩＦ１５、メモリ１６、ディスクドライブ１７、記録媒体１８、再生処理部１９、表示処理部２０、画像音声特徴抽出部２１及びシステムコントローラ２２はそれぞれ、データバス２３及びコントロールバス２４に接続されている。ネットワークＩＦ１１はネットワーク（インターネット等）Ｎに接続されており、チューナー部１２にはアンテナ２５が接続されている。入力ＩＦ１５には入力機器（キーボード、マウス等）２６が接続され、表示処理部２０にはディスプレイ２７が接続されている。
【００３３】
ネットワークＩＦ１１は、ネットワークＮとの間で情報を授受する。チューナー部１２は、アンテナ２５を介して放送波を受信し、映像信号を生成する。記録処理部１３は、チューナー部１２によって生成された映像信号に記録処理を実行する。情報処理部１４は、後述するコンテンツの属性の推定等の処理を実行する。入力ＩＦ１５は、ユーザの操作を受けて入力機器２６において生成された入力信号を受信する。
【００３４】
メモリ１６は、情報処理部１４において処理されるプログラム等が書き込まれ、あるいは読み出される。ディスクドライブ１７は、ディスク状記録媒体１７ａに記録されている情報、例えばコンテンツを読み出し、あるいはディスク状記録媒体１７ａに情報を記録する。記録媒体１８は、プログラムやコンテンツを記憶する。再生処理部１９は、ディスクドライブ１７あるいは記録媒体１８に記憶されているコンテンツに対して再生処理を実行する。
【００３５】
表示処理部２０は、再生処理部１９によって再生されているコンテンツから映像信号を生成し、ディスプレイ２７に供給する。画像音声特徴抽出部２１は、再生処理部１９によって再生されているコンテンツに対して、画像又は音声のいずれか、又は両者の特徴量（後述）を抽出し、情報処理部１４に供給する。システムコントローラ２２は、上記各部によるデータバス２３及びコントロールバス２４を介した各種信号の授受を制御する。
【００３６】
情報処理装置１００は以上のような構成を有するものとすることができる。なお、情報処理装置１００の構成はここに示すものに限られず適宜変更することが可能である。情報処理装置１００は以上のようなハードウェア構成と、それに読み込まれるソフトウェアの協働によって次のような機能的構成とすることも考えられる。
【００３７】
［情報処理装置の機能的構成］
図２は、情報処理装置１００の機能的構成を示すブロック図の例である。同図に示すように、情報処理装置１００は機能的構成として、コンテンツ再生部１０１、属性取得部１０２、操作情報保持部１０３、操作履歴蓄積部１０４及び操作情報提示部１０５を有する。なお、コンテンツ再生部１０１は、情報処理装置１００とは別の装置、例えばテレビジョン受像機に内蔵されているものであってもよい。
【００３８】
コンテンツ再生部１０１は、記録されているコンテンツ、あるいは放送又は配信されるコンテンツを取得して再生する。以下、コンテンツ再生部１０１によって再生されているコンテンツを再生コンテンツとする。なお、再生コンテンツは、動画コンテンツに限られず、音声コンテンツあるいは静止画コンテンツであってもよい。また、再生コンテンツは、コンテンツが動画コンテンツである場合には、当該コンテンツを構成するシーン（歌唱シーン等）でもよく、当該コンテンツを構成するフレーム（静止画）でもよい。
【００３９】
属性取得部１０２は、コンテンツ再生部１０１において再生されている再生コンテンツの「属性」を取得する。属性は、コンテンツのジャンルを含み、例えばコンテンツが動画コンテンツである場合には、音楽番組コンテンツ、ニュース番組コンテンツ、ドラマ番組コンテンツ等のジャンルである。また、属性は、コンテンツの生成手段を含み、例えばパーソナルビデオカメラによって撮影されたコンテンツであるか否か等である。さらに、属性は、動画コンテンツを構成するシーンの属性も含み、例えばＣＭ（commercial message）区間と非ＣＭ区間の別等である。
【００４０】
属性取得部１０２は、再生コンテンツの属性を、再生コンテンツのメタ情報（ＥＰＧ（electronic program guide：電子番組ガイド）等）から取得するものとすることができる。また、属性取得部１０２は、再生コンテンツの属性を再生コンテンツの特徴量（音声パワースペクトル、特徴点動きベクトル等）から取得するものとすることができる。さらに属性取得部１０２は、情報処理装置に接続された再生コンテンツを情報処理装置１００へ供給する外部機器の接続情報（例えばＨＤＭＩ（High-Definition Multimedia Interface）信号）から再生コンテンツの属性を取得するものとすることもできる。属性取得部１０２は、取得した再生コンテンツの属性（以下、再生コンテンツ属性）を操作情報提示部１０５に供給する。
【００４１】
操作情報保持部１０３は、各コンテンツ属性毎の操作情報を保持する。操作情報は、操作ガイド（マニュアル）や情報処理装置１００が実行可能な動作の提示等、各コンテンツに対してユーザが必要とすると想定される情報である。操作情報保持部１０６は、各コンテンツの属性と、そのコンテンツの操作情報を関連付けて保持（利用できる状態に維持）する。操作情報保持部１０３は、上記記録媒体１８等に記録されている操作情報を保持していてもよく、ネットワークＮ上に存在する操作情報を保持していてもよい。図３は操作情報の例として操作ガイドを示す。
【００４２】
操作履歴蓄積部１０４は、各コンテンツに対するユーザの操作履歴を蓄積する。具体的には、操作履歴蓄積部１０７は、属性取得部１０２から再生コンテンツ属性を取得し、その再生コンテンツに対するユーザの操作の頻度を蓄積するものとすることができる。操作履歴は例えば、再生コンテンツが音楽番組コンテンツである場合に、録画操作が何度実行され、ダイジェスト再生が何度実行されたかといったものである。即ち、操作履歴は、各コンテンツに対するユーザの操作の傾向を含むものである。
【００４３】
操作情報提示部１０５は、コンテンツ再生部１０１によって再生されている再生コンテンツに対応する操作情報を提示する。操作情報提示部１０５は、属性取得部１０２によって取得された再生コンテンツの属性に対応する操作情報を操作情報保持部１０３から取得する。また、操作情報提示部１０５は、操作情報が複数である場合には、各操作情報に所定の優先順位を付するものとすることができる。操作情報提示部１０５は、この際、操作履歴蓄積部１０４に蓄積されている操作履歴のうち、再生コンテンツと同一の属性に属するコンテンツの操作履歴を用いて、優先順位を付するものとすることも可能である。
【００４４】
操作情報提示部１０５は、操作情報又は優先順位を付した操作情報を、出力手段（例えばディスプレイ２７）に供給することによってユーザに提示するものとすることができる。操作情報提示部１０５は、操作情報を、再生コンテンツが出力される出力手段と同一の出力手段（例えばディスプレイ２７）によって提示してもよく、再生コンテンツが出力される出力手段とは異なる出力手段（例えばスマートフォン）によって提示してもよい。
【００４５】
［情報処理装置の動作］
図４は、情報処理装置１００の動作を示すフローチャートである。図５及び図６は、再生コンテンツに対するユーザの希望操作の例を示す模式図である。図５は、再生コンテンツが映像ストリームであり、ユーザがコンテンツの属性（コンテンツジャンル）が分からない場合のユーザの希望操作の例を示す。同図に示すように、ユーザは音楽番組においては音楽番組区間のみを視聴し、ＣＭ区間を早送りしたい場合が考えられる。また、ニュース番組においてはユーザはニュースだけを知りたい場合が考えられる。
【００４６】
図６は、ユーザが予めコンテンツの属性（コンテンツジャンル）が分かっている場合のユーザの希望操作の例を示す。同図に示すように、ユーザは音楽番組においては音楽区間の携帯電話へのコピー、ニュース番組においては最新ニュースの検索、映画番組においてはＢＤへのコピーをそれぞれ希望している場合が考えられる。
【００４７】
図４において、情報処理装置１００によって、現在のモードが再生モードであるか録画モードであるか否かの確認がなされる（Ｓｔ１０１）。再生モードではない場合（Ｓｔ１０１：Ｎｏ）、情報処理装置１００は録画モードへ移行する。
【００４８】
情報処理装置１００が再生モードである場合（Ｓｔ１０１：Ｙｅｓ）、ユーザによって、再生するコンテンツの選択がなされる（Ｓｔ１０２）。続いて、操作情報の要求（例えば操作ガイドの表示要求）の有無が確認される（Ｓｔ１０３）。情報処理装置１００は、操作情報の要求の有無を、ユーザによって操作情報の要求を示す操作入力がされたか否かによって判断することが可能である。
【００４９】
続いて、属性取得部１０２は、コンテンツ再生部１０１によって再生されているコンテンツ（再生コンテンツ）の属性（再生コンテンツ属性）を取得する（Ｓｔ１０４）。この再生コンテンツ属性の取得については後述する。
【００５０】
続いて操作情報提示部１０５が、再生コンテンツの属性に応じた操作情報を提示する（Ｓｔ１０５）。具体的には、操作情報提示部１０５は、属性取得部１０２から供給された再生コンテンツの属性に対応する操作情報を、操作情報保持部１０３に保持されている操作情報から選択し、ディスプレイ２７等に供給することによってユーザに提示する。
【００５１】
図７及び図８は、コンテンツの属性と提示される操作情報の例を示す表である。図７は再生コンテンツに付与されているメタ情報（後述）から取得された再生コンテンツ属性に基づいて提示された操作情報である。図８は、再生コンテンツから検出された特徴量（後述）から取得された再生コンテンツ属性に基づいて提示された操作情報である。これらの図に示すように、操作情報は、再生コンテンツに応じて情報処理装置１００が実行可能な動作の操作ガイドであるものとすることが可能である。これによりユーザは、再生コンテンツに対して実行可能な操作と、その操作方法を理解することが可能である。このように再生コンテンツ属性の情報がどこから得られたかという取得元に応じて操作情報の提示内容や提示項目の順序を変えることで、ユーザーに適した提示を行うことも考えられる。
【００５２】
また、操作情報は、再生コンテンツに対する情報処理装置１００の動作の提示であるものとすることができる。操作情報提示部１０５によって、情報処理装置１００の再生コンテンツに対応する動作の候補が提示され、ユーザは任意の動作を選択することにより、情報処理装置１００に当該動作をさせることが可能となる。例えば、音楽番組における歌唱シーンが再生されている場合には、モバイル機器へのコピー動作や、歌唱シーンのみの再生動作が提示されるものとすることができる。
【００５３】
また、操作情報は、再生コンテンツから取得される情報とすることも可能である。例えば、再生コンテンツが通信販売番組である場合には、表示される電話番号を操作情報とすることも可能である。ユーザは、その電話番号に直接電話をかけることが可能となる。
【００５４】
図７及び図８に示すように、操作情報提示部１０５は、各コンテンツの属性に応じてユーザが必要とすると想定されている操作情報を所定の優先順位で提示するものとすることができる。操作情報提示部１０５は、操作履歴蓄積部１０４に蓄積されている、再生コンテンツと同属性を有するコンテンテンツに対するユーザの操作履歴を参照して、操作情報の優先順位を決定するものとすることが可能である。
【００５５】
例えばユーザが、音楽コンテンツが再生されているときに、音楽コンテンツのディスクメディアへのコピーを頻繁に実行している場合には、操作履歴蓄積部１０４には音楽コンテンツのディスクメディアへのコピー操作の操作履歴が高頻度に記憶されている。操作情報提示部１０５は、この操作履歴に基づいて、再生コンテンツが音楽コンテンツである場合には、ディスクメディアへのコピー操作の手順を示す操作情報を高い優先順位とすることが可能である。
【００５６】
ユーザは、提示された操作情報のうち、所望の操作情報を選択し（Ｓｔ１０６）、当該操作情報に従って（Ｓｔ１０７：Ｙｅｓ）、所定の操作入力を実行する（Ｓｔ１０８）。ユーザが操作情報に従わない場合（Ｓｔ１０７：Ｎｏ）、操作情報の要求の有無の確認（Ｓｔ１０３）に戻る。情報処理装置１００は、ユーザの操作入力によって指定された動作、例えば再生コンテンツのディスクメディアへのコピー等を実行し（Ｓｔ１０９）、再生コンテンツの再生が終了すると（Ｓｔ１１０：Ｙｅｓ）、動作を終了する。再生コンテンツの再生が終了しない場合（Ｓｔ１１０：Ｎｏ）には、操作情報の要求の有無の確認（Ｓｔ１０３）に戻る。
【００５７】
属性取得部１０２による属性の取得（Ｓｔ１０４）の詳細について説明する。図９は属性の取得の詳細を示すフローチャートである。
【００５８】
属性取得部１０２は、再生コンテンツのメタ情報（ＥＰＧ等）が取得できるか否かを確認する（Ｓｔ１０４１）。属性取得部１０２は、再生コンテンツのメタ情報が取得できる場合（Ｓｔ１０４１：Ｙｅｓ）には、メタ情報から再生コンテンツの属性を取得するものとすることができる。また、属性取得部１０２は、再生コンテンツが動画コンテンツである場合において、再生コンテンツを構成するシーンあるいはフレーム毎にメタ情報が付されている場合には、シーンあるいはフレーム毎のメタ情報から、シーンあるいはフレーム毎の属性を取得するものとすることも可能である。
【００５９】
属性取得部１０２は、再生コンテンツのメタ情報が取得できない場合（Ｓｔ１０４１：Ｎｏ）、再生コンテンツに対して特長量抽出処理を実行する（Ｓｔ１０４２）。図１０は、特徴量抽出処理に係る模式図である。同図に示すように、属性取得部１０２は、再生コンテンツ（１）から特徴量を抽出する（２）。特徴量には例えば、音声パワースペクトルの抽出や顔認識処理、特徴点動きベクトルの検出等が含まれる。属性取得部１０２は、操作履歴蓄積部１０４（データベース）に蓄積されているユーザの操作履歴関係の情報（サーチ、通常再、早送り、巻き戻しなどの動作モード情報およびその時のコンテンツの画像音声特徴量を含む。）（３）と共に、上記（２）で抽出した特徴量に対してベイジアンネットワークによる確率推定（確率推論）処理（４）を実行し、再生コンテンツの属性を判定するものとすることが可能である。
【００６０】
具体的には、属性取得部１０２は、特徴点動きベクトルから取得できるコンテンツのカメラワークや音声パワースペクトルから、シーンの盛り上がりやシーンチェンジの間隔等を取得し、当該シーンが歌唱シーンであるか、あるいはＣＭ区間であるかといった属性を取得することができる。このような属性の取得（シーン種別の推定）は、公知の手法（例えば特開２００６−５４６２０号公報）によって実現が可能である。
【００６１】
ベイジアンネットワークについては、例えば、次の文献にその技術が開示されている。
「本村陽一、"ベイジアンネットワーク"、電子情報通信学会技術研究報告、Ｎ０．ＮＣ２００３−３８、ｐｐ．２５−３０、２００３年」
この手法は、幾つかの所定確率変数に基づいてもっとも確率的に確からしい事象を推論する。各確率変数に対する各事象はテーブルとしてもっている。
【００６２】
上記（４）では、あらかじめデータベース蓄積されている幾つかの属性が既知のコンテンツにおける画像音声特徴量と属性を推定しようとする再生コンテンツの画像音声特徴量、および上記既知のコンテンツに対する操作履歴情報と再生コンテンツの操作情報などを用いて確率変数とし、推定したい属性を事象として処理を行う。
【００６３】
具体的には、属性が既知のコンテンツにおける各種画像音声量と再生コンテンツにおける対応する各種画像音声特徴量の値の比をそれぞれ確率変数として総和値を計算する。
また、サーチ、通常再生その他の動作モードの操作情報は、例えば、上記各確率変数に応じて同じ動作モードの場合は１、異なる場合は０．５などの係数を上記、総和値の確率変数に対して重み付けして、最終的な確率変数とする。
【００６４】
そして、そのように計算した確率変数に基づいて、属性が既知のコンテンツと同じ属性であると確率的にもっとも確からしい場合に、その属性を再生コンテンツの属性とする。ここで、上記説明したベイジアンネットワークによる確率推定処理の他に、ニューラルネットワークやＳＶＭ（サポートベクターマシン）などの機械学習的手法を用いることも考えられる。その場合、データベースに蓄積されたユーザの操作履歴の情報と、ともに蓄積されているその時の画像音声特徴量を用いて学習処理を行い、再生コンテンツ（１）からの特徴量を入力して再生コンテンツの属性について、機械学習に基づいた判定処理を行う。
【００６５】
また、属性取得部１０２は、情報処理装置１００への外部機器の接続情報を利用して、再生コンテンテンツの属性情報を取得することも可能である。例えば、情報処理装置１００にパーソナルビデオカメラが接続された場合には、属性取得部１０２はその接続情報（ＨＤＭＩ信号等）からパーソナルカメラの接続を検出することができ、再生コンテンツは、パーソナルビデオカメラから供給されたものと判断することが可能である。
【００６６】
以上のようにして、情報処理装置１００は、コンテンツ再生部１０１によって再生されている再生コンテンツに対応した操作情報をユーザに提示することが可能である。これにより、ユーザは、再生中のコンテンツに対して実行可能な操作情報を参照することができ、そのコンテンツに対してどのような操作が可能であるかを理解しておく必要がない。
【００６７】
上記の説明では情報処理装置１００が再生モードの場合について説明したが、録画モードの場合も同様である。即ち、属性取得部１０２が、コンテンツ再生部１０１（例えばテレビジョン受像機に内蔵されているもの）において再生されている再生コンテンツの属性を上述のようにして取得し、操作情報提示部１０５が、再生コンテンツの属性に応じた操作情報を提示する。図１１及び図１２は、コンテンツの属性と提示される操作情報の例を示す表である。図１１は再生コンテンツに付与されているメタ情報から取得された再生コンテンツ属性に基づいて提示された操作情報である。図１２は、再生コンテンツから検出された特徴量から取得された再生コンテンツ属性に基づいて提示された操作情報である。
このように、上記図７及び図８で説明した場合と同じように再生コンテンツ属性の情報がどこから得られたかという取得元に応じて操作情報の提示内容や提示項目の順序を変えることで、ユーザーに適した提示を行うことも考えられる。
【００６８】
本技術は、上記各実施形態にのみ限定されるものではなく、本技術の要旨を逸脱しない範囲内において変更することが可能である。
【００６９】
上記実施形態においては、情報処理装置１００は録画再生機器であるものとしたがこれに限られず、本技術は複数の機器で構成される情報処理システムに適用することも可能である。図１３は、情報処理システム２００を示す模式図である。同図に示すように、情報処理システム２００は、コンテンツ再生機器２０１、モバイル機器２０２、サーバ２０３を有する。
【００７０】
コンテンツ再生機器２０１は例えば録画再生機能を有するテレビジョン受像機であり、コンテンツ再生部、操作情報保持部及び操作履歴蓄積部を有するものとすることができる。モバイル機器２０２は例えばスマートフォンであり、操作情報提示部、カメラ、マイクロフォン等を有するものとすることができる。サーバ２０３は、属性取得部を有するものとすることができる。コンテンツ再生機器２０１、モバイル機器２０２及びサーバ２０３はネットワークＮを介して相互に接続されている。
【００７１】
この情報処理システムにおいては、モバイル機器２０２がカメラ及びマイクロフォンによってコンテンツ再生機器２０１において再生されているコンテンツ（再生コンテンツ）を撮影する。撮影された再生コンテンツの画像及び音声は、ネットワークＮを介して、サーバ２０３に送信され、サーバ２０３において特徴量抽出処理及び確率推定処理が実行され、再生コンテンツ属性が検出される。再生コンテンツ属性はモバイル機器２０２に供給され、モバイル機器２０２において再生コンテンツ属性に対応する操作情報が提示されるものとすることができる。
【００７２】
なお、本技術は以下のような構成も採ることができる。
（１）
コンテンツの属性毎の操作情報を保持する操作情報保持部と、
再生されているコンテンツである再生コンテンツの属性を取得する属性取得部と、
上記属性に基づいて上記再生コンテンツに対応する操作情報を提示する操作情報提示部と
を具備する情報処理装置。
【００７３】
（２）
上記（１）に記載の情報処理装置であって、
上記属性取得部は、上記再生コンテンツから検出された特徴量に基づいて上記属性を取得する
情報処理装置。
【００７４】
（３）
上記（１）又は（２）に記載の情報処理装置であって、
上記属性取得部は、上記再生コンテンツに付与されたメタ情報に基づいて上記属性を取得する
情報処理装置。
【００７５】
（４）
上記（１）から（３）のうちいずれか一つに記載の情報処理装置であって、
上記属性取得部は、上記再生コンテンツを上記情報処理装置へ供給する外部機器の接続情報に基づいて上記属性を取得する
情報処理装置。
【００７６】
（５）
上記（１）から（４）のうちいずれか一つに記載の情報処理装置であって、、
コンテンツの属性毎の操作履歴を蓄積する操作履歴蓄積部をさらに具備し、
上記操作情報提示部は、上記属性に加え、上記再生コンテンツに対応する上記操作履歴に基づいて上記操作情報を提示する
情報処理装置。
【００７７】
（６）
上記（１）から（５）のうちいずれか一つに記載の情報処理装置であって、
上記操作情報提示部は、上記操作履歴に基づいて上記操作情報の優先順位を決定する
情報処理装置。
【００７８】
（７）
上記（１）から（６）のうちいずれか一つに記載の情報処理装置であって、
上記操作情報は、上記再生コンテンツに対して上記情報処理装置が実行可能な動作の操作ガイドである
情報処理装置。
【００７９】
（８）
上記（１）から（７）のうちいずれか一つに記載の情報処理装置であって、
上記操作情報は、上記再生コンテンツに対する上記情報処理装置の動作の提示である
情報処理装置。
【００８０】
（９）
上記（１）から（８）のうちいずれか一つに記載の情報処理装置であって、
上記再生コンテンツは動画コンテンツであり、上記メタ情報は、上記再生コンテンツを構成するシーンに付与されたメタ情報である
情報処理装置。
【００８１】
（１０）
上記（１）から（９）のうちいずれか一つに記載の情報処理装置であって、
上記情報処理装置は、コンテンツの記録及び再生が可能な情報処理装置である
情報処理装置。
【００８２】
（１１）
コンテンツの属性毎の操作情報を保持する操作情報保持部と、
再生されているコンテンツである再生コンテンツの属性を取得する属性取得部と、
上記属性に基づいて上記再生コンテンツに対応する操作情報を提示する操作情報提示部と
を具備する情報処理システム。
【００８３】
（１２）
操作情報保持部が、コンテンツの属性毎の操作情報を保持し、
属性取得部が、再生されているコンテンツである再生コンテンツの属性を取得し、
操作情報提示部が、上記属性に基づいて上記再生コンテンツに対応する操作情報を提示する
情報処理方法。
【符号の説明】
【００８４】
１００…情報処理装置
１０２…属性取得部
１０３…操作情報保持部
１０４…操作履歴蓄積部
１０５…操作情報提示部
【図１】
2013236319.tif 000003
【図２】
2013236319.tif 000004
【図３】
2013236319.tif 000005
【図４】
2013236319.tif 000006
【図６】
2013236319.tif 000007
【図７】
2013236319.tif 000008
【図８】
2013236319.tif 000009
【図９】
2013236319.tif 000010
【図１１】
2013236319.tif 000011
【図１２】
2013236319.tif 000012
【図５】
2013236319.tif 000013
【図１０】
2013236319.tif 000014
【図１３】
2013236319.tif 000015